(57)【要約】【課題】覗き見防止フィルターを容易に脱着のできる止め具および取付脱着方法を提供する。【解決手段】覗き見防止フィルター１の隅部が抜き差しできる三角形の袋部と裏面に粘着層のある止め具２に覗き見防止フィルター１の４隅を挿入しモニター４の液晶表示画面３の表示画面の外枠上（ベゼル）に貼りつける。モニター４を前傾又は指で覗き見防止フィルターをたわませることにより容易に覗き見防止フィルターを脱着できる。【選択図】図８
2019086749.tif 000002
【特許請求の範囲】
【請求項１】
情報・表示装置の表示画面上に覗き見防止フィルターを取り付ける止め具であって、前記覗き見防止フィルターの隅部が挿入される袋部と、該袋部の裏面に設けられて前記表示画面の外枠上（ベゼル）に貼付される粘着面とを備えた止め具。
【請求項２】
前記覗き見防止フィルターは、前記表示画面に嵌る大きさ、又は前記表示画面から食み出る大きさである請求項１に記載の止め具。
【請求項３】
前記袋部が平面視三角形であり、該三角形の底辺が前記覗き見防止フィルターの四隅を挿入する開口部となっている請求項１に記載の止め具。
【請求項４】
覗き見防止フィルターの隅部が挿入される袋部と、該袋部の裏面に設けられた粘着面を備えた止め具を用い、前記覗き見防止フィルターの隅部を前記止め具の袋部に挿入したのち情報・表示装置の表示画面の外枠上（ベゼル）に前記止め具を前記粘着面にて貼りつけて固定して前記覗き見防止フィルターを設置することを特徴とする覗き見防止フィルターの取付方法。
【請求項５】
請求項４記載の取付方法で設置した覗き見防止フィルターをたわませて前記覗き見防止フィルターの隅部を止め具の袋部から外すことを特徴とする覗き見防止フィルターの脱着方法。
【発明の詳細な説明】
【技術分野】
【０００１】本発明は表示画面に取り付ける覗き見防止フィルターの止め具と取付脱着方法に関する。
【背景技術】
【０００２】現在パソコン機器の情報漏洩問題、セキュリティー対策等が重要視されるなか働き方改革により通勤時、移動時やオフィス外でモバイルノートパソコンを利用しパソコン作業が日常に行われる環境において覗き見防止フィルターの必要性が高くなっている。覗き見防止フィルターはルーバー構造を用いて視野角を制限し隣の人からパソコン画面を見られないようにしているが、逆に隣の人にパソコン画面を見せる必要があるケースでは覗き見防止フィルターの存在は不都合である。そのため常に脱着の必要性が求められている。従来の覗き見防止フィルターの脱着に用いる止め具はツメ型の１センチ四方程度の透明樹脂片側２分の１程に粘着層を設けその粘着層をモニターの情報・表示装置の表示画面の外枠上（ベゼル）に４〜６か所貼り付けるものである。この止め具は粘着層を設けていない部分で情報・表示装置の表示画面上の上に置いた覗き見防止フィルターを前に倒れてこないよう抑え、覗き見防止フィルターの脱着を行うには外枠上部から覗き見防止フィルターを画面と平行に動かして抜き差しできるようしたものである。【０００３】フィルターに関する止め具、取付脱着方法に関して実用新案文献１に開示されているが、ブラウン管モニターを対象としたのもので覗き見防止フィルターに関するものでもなく止め具の形状が全く異なり薄型の表示端末には使用できないものである。
【先行技術文献】
【実用新案文献】
【０００４】
【実用新案文献１】
実登３０４８９２５
【発明の概要】
【発明が解決しようとする課題】
【０００５】上記従来のツメ型止め具による情報・表示装置の表示画面に覗き見防止フィルターを取り付ける方法では脱着が非常に手間でありツメ型止め具は覗き見防止フィルターが前後に動き脱着時ツメ型止め具に接触しツメ型止め具が外れる問題が頻繁に発生している。本発明は、この課題を解決するものである。
【課題を解決するための手段】
【０００６】本発明に係る覗き見防止フィルターの止め具は前記覗き見防止フィルターの隅部が挿入される袋部と、該袋部の裏面に設けられてノートパソコン、タブレット端末、液晶モニターなど情報・表示装置の表示画面の外枠上（ベゼル）に貼付される粘着面を備えている。さらに本発明は、前記止め具を用い前記覗き見防止フィルターの隅部を前記止め具の袋部に挿入したのち情報・表示装置の表示画面の外枠上（ベゼル）に前記止め具を前記粘着面にて貼りつけて固定して設置する方法を提供する。さらに本発明はこのように設置した前記覗き見防止フィルターをたわませて前記覗き見防止フィルターの隅部を前記止め具の袋部から外す方法を提供する。
【発明の効果】
【０００７】本発明の止め具を用い覗き見防止フィルターをたわませることにより前記覗き見防止フィルターを止め具から簡単に取り出すことができるため、誰でも容易に手間がかからず素早くフィルターの着脱が可能になった。
【図面の簡単な説明】
【０００８】
【図１】  覗き見防止フィルターのサイズを示した外観図
【図２】  本発明の実施例の止め具の外観図
【図３】  同止め具をフィルターの隅部に取り付ける状態を示す正面図
【図４】  同止め具にフィルターの隅部を挿入した状態を示す断面図
【図５】  同止め具をフィルター下辺２か所に挿入した状態を示す図
【図６】  図５のフィルターをモニター表示画面の下方外枠上（ベゼル）に取り付けた図
【図７】  図６のフィルターを同止め具に挿入しモニター表示画面の上方外枠上（ベゼル）にも取り付けた図
【図８】  図７の状態から同フィルターを取り外す時の状態図
【図９】  図８の状態を真上から見た図
【発明を実施するための形態】
【０００９】従来の取り付け方法では液晶表示画面サイズ３より小さいサイズの覗き見防止フィルターを用いている。図１に示すように本発明を実施するにおいて液晶表示画面３のサイズよりタテヨコ５ｍｍ〜１５ｍｍ大きいサイズの覗き見防止フィルター１を用いる。覗き見防止フィルター１の各隅部を１ａ、１ｂ、１ｃ、１ｄとする。図２の止め具２は、覗き見防止フィルター１の四隅を挿入する袋部５と、該袋部溶着面７と該袋部５の裏面に設けられてノートパソコン、タブレット端末、液晶モニターなど情報・表示装置の表示画面の外枠上（ベゼル）に貼り付けされる粘着面８を備えている。覗き見防止フィルター１は樹脂製で柔軟性があり容易にたわませることができる。
【実施例】
【００１０】以下添付図面に従って本発明の止め具を用いた覗き見防止フィルターの取付脱着方法の実施例を説明する。図３図４に示すように止め具下辺左部２ａは袋部５、下地６、溶着部７、裏面粘着部８、を有する構造であり、台紙１０に貼りつけた部材９の状態で使用される。図３図４に示すように台紙１０についた止め具下辺左部２ａの袋部５に覗き見防止フィルター下辺左隅部１ａを挿入し止め具下辺左部２ａを台紙１０より剥がす。次に覗き見防止フィルター下辺右隅部１ｂも覗き見防止フィルター下辺左隅部１ａ同様に止め具下辺２ｂに挿入し台紙１０より剥がして図５の状態にする。次に図５で示すように前記覗き見防止フィルター下辺左隅部１ａ、覗き見防止フィルター下辺右隅部１ｂが挿入されている状態の止め具下辺左部２ａ、止め具下辺右部２ｂの裏面粘着部８を同時に図６で示すモニター４の表示画面３下辺外枠上（ベゼル部）に表示画面３下辺と平行になるよう貼りつけ図６の状態にする。図６の状態から覗き見防止フィルター上辺左隅部１ｃ、覗き見防止フィルター上辺右隅部１ｄを手前方向に傾け図３同様に止め具上辺左部２ｃ、止め具上辺右部２ｄに覗き見防止フィルター上辺左隅部１ｃ、覗き見防止フィルター上辺右隅部１ｄの順に挿入し台紙１０より剥がし、止め具上辺左部２ｃ、止め具上辺右部２ｄの裏面粘着部８を表示画面３上辺外枠上（ベゼル）に貼りつけ図７の状態にする。覗き見防止フィルター１は止め具下辺左部１ａ、止め具下辺右部１ｂ、止め具上辺左部１ｃ、止め具上辺右部１ｄすべてが液晶表示面３に入り込まないサイズに作られている。さらに覗き見防止フィルター１下辺と上辺は平行であるため上辺は平行に貼ることができる。【００１１】覗き見防止フィルター１を取り付けて液晶表示画面を見る状態図７より覗き見防止フィルター１を取り外すには、モニター面を前傾させて覗き見防止フィルターを重力により、たわませる又は指で覗き見防止フィルター上辺中心点を手前に引き、たわませることにより図８図９状態になり覗き見防止フィルター１の４隅１ａ、１ｂ、１ｃ、１ｄが挿入されている止め具２ａ、２ｂ、２ｃ、２ｄより簡単に外れる。その時止め具２ａ、２ｂ、２ｃ、２ｄはモニター面に貼りついた状態である。覗き見防止フィルター１を再度取付けるには、覗き見防止フィルター１を図８図９の状態になるよう指でたわませて覗き見防止フィルター１下辺１ａ、１ｂを同時に止め具２ａ、２ｂに挿入し次に覗き見防止フィルター１上辺１ｃ、１ｄを止め具２ｃ、２ｄに挿入する。
【符号の説明】
【００１２】１    液晶表示面サイズより大きい覗き見防止フィルター
１ａ  フィルター下辺左隅部
１ｂ  フィルター下辺右隅部
１ｃ  フィルター上辺左隅部
１ｄ  フィルター上辺右隅部
２    止め具
２ａ  止め具下辺左部
２ｂ  止め具下辺右部
２ｃ  止め具上辺左部
２ｄ  止め具上辺右部
３    液晶表示画面
４    モニター外枠上（ベゼル）
５    止め具袋部
６    止め具下地
７    止め具袋部と下地溶着部
８    止め具袋部裏面粘着部
９    複数の止め具が台紙に貼りついている部材
１０  止め具台紙
【図１】
2019086749.tif 000003
【図２】
2019086749.tif 000004
【図３】
2019086749.tif 000005
【図４】
2019086749.tif 000006
【図５】
2019086749.tif 000007
【図６】
2019086749.tif 000008
【図７】
2019086749.tif 000009
【図８】
2019086749.tif 000010
【図９】
2019086749.tif 000011